(57)【特許請求の範囲】
【請求項１】
装置が収容される装置架本体と、
前記装置架本体の前面に形成される開口部と、
前記開口部の両側に、上下方向に間隔を置いて設けられる複数の係合部と、
前記開口部の幅方向に弾性を有し、前記係合部に支持される支持部材と、
前記開口部を覆って配置され、前記支持部材に接続される板状のカバー部材とを備え、
前記支持部材は、
相互に連設される円弧状の複数の湾曲部を有するとともに、前記開口部の幅方向に伸張可能な支持体部と、
前記支持体部の両端に形成され、前記係合部に係止される鉤部と、
前記支持体部の両側の前記湾曲部に嵌入され、前記カバー部材を接続する断面円形状の接続部材とを備えてなることを特徴とする装置架。
【請求項２】
請求項１記載の装置架において、
前記支持部材は、ワイヤ部材を折曲して形成されていることを特徴とする装置架。
【請求項３】
請求項２記載の装置架において、
前記接続部材の外周には、前記湾曲部の内径より大きい外径を有し、前記支持部材の前記湾曲部に嵌入されるくびれ部が形成されていることを特徴とする装置架。
【発明の詳細な説明】
【０００１】
【発明の属する技術分野】
本発明は、通信機器等の装置を収容する装置架に係わり、特に、装置の操作部への接触を防止するための装置架に関する。
【０００２】
【従来の技術】
近年、情報のネットワーク化の進展が著しく、通信機器等の装置を収容する装置架は、従来の人の出入りが制約される通信室から、人の出入りの多いコンピュータ室、一般事務室に設置されることが多くなってきている。
また、展示会への出品や顧客先でのデモンストレーションなど、不特定多数の人の前に装置がさらされることが多くなってきている。
【０００３】
図１２は、この種の装置を収容する装置架を示している。
図において、装置架本体１の前面には、開口部１ａが形成されている。
装置架本体１の内部には、通信機器等の装置３が、上下方向に間隔を置いて複数台収容されている。
装置３の前面には、この装置３を動作・調整するためのスイッチ３ａおよびコネクタ３ｂが設けられている。
【０００４】
【発明が解決しようとする課題】
しかしながら、このような従来の装置架では、装置３のスイッチ３ａおよびコネクタ３ｂが、開口部１ａに露出した状態で配置されているため、上述した展示会等に装置３を出品した場合には、不特定多数の人が自由に装置３のスイッチ３ａ等に触れることができ、誤った操作により装置３が誤動作を起こすという問題があった。
【０００５】
さらに、コネクタ３ｂに導電性のものが接触した場合には、装置が故障してしまうおそれがあった。
本発明は、かかる従来の問題点を解決するためになされたもので、装置架本体に収容される装置の操作部を、確実に保護することができる装置架を提供することを目的とする。
【０００６】
【課題を解決するための手段】
請求項１の装置架は、装置が収容される装置架本体と、前記装置架本体の前面に形成される開口部と、前記開口部の両側に、上下方向に間隔を置いて設けられる複数の係合部と、前記開口部の幅方向に弾性を有し、前記係合部に支持される支持部材と、前記開口部を覆って配置され、前記支持部材に接続される板状のカバー部材とを備え、前記支持部材は、相互に連設される円弧状の複数の湾曲部を有するとともに、前記開口部の幅方向に伸張可能な支持体部と、前記支持体部の両端に形成され、前記係合部に係止される鉤部と、前記支持体部の両側の前記湾曲部に嵌入され、前記カバー部材を接続する断面円形状の接続部材とを備えてなることを特徴とする。
【０００９】
請求項２の装置架は、請求項１記載の装置架において、前記支持部材は、ワイヤ部材を折曲して形成されていることを特徴とする。
請求項３の装置架は、請求項２記載の装置架において、前記接続部材の外周には、前記湾曲部の内径より大きい外径を有し、前記支持部材の前記湾曲部に嵌入されるくびれ部が形成されていることを特徴とする。
【００１０】
（作用）
請求項１の装置架では、支持部材を装置架の幅方向に弾性変形した状態で、装置架本体の開口部に配置した後、支持部材を復元力により元の形状に戻すことで、支持部材が弾性力により、開口部の両側の係合部に押圧状態または牽引状態で支持される。
【００１１】
そして、カバー部材が開口部を覆って配置され、支持部材に接続されることで、カバー部材により、装置架本体に収容される装置の前面が覆われ、装置のスイッチ等が触れられることが防止される。
また、係合部が開口部の両側に上下方向に間隔を置いて設けられるため、支持部材およびカバー部材を、開口部の所望の位置に支持することができる。
【００１４】
さらに、支持部材の支持体部を伸張した状態で、支持部材を装置架本体の開口部に配置し、支持体部の両端に形成される鉤部を、開口部の両側の係合部に掛けた後、支持体部を復元力により元の形状に戻すことで、支持体部の両端に形成される鉤部が、開口部の両側の係合部に牽引状態で係止され、支持部材が装置架本体の前面に確実に支持される。
【００１５】
この後、支持体部の湾曲部に、接続部材が嵌入され、カバー部材が接続部材に接続される。
請求項２の装置架では、支持部材がワイヤ部材を折曲することで、容易に、所望の形状に形成される。
請求項３の装置架では、接続部材の外周に形成されるくびれ部が支持部材の湾曲部に嵌入され、接続部材が、支持部材に確実に固定される。
【００１６】
【発明の実施の形態】
以下、本発明の実施形態を図面を用いて詳細に説明する。
図１は、本発明に関連する装置架の第１の例を示している。
【００１７】
図において、装置架本体２１の前面２１ａには、矩形状の開口部２３が形成されている。
装置架本体２１の内部には、上下方向に間隔を置いて、通信機器等の装置２５を収容する収容空間２１ｂが複数箇所に形成されている。
なお、装置２５は、複数の部品を収容する筐体により構成されている。
【００１８】
各装置２５の前面２５ａには、この装置２５を動作・調整するためのスイッチ２５ｂおよびコネクタ２５ｃが設けられている。
装置架本体２１の開口部２３の両側には、側板２１ｃを内側に折曲して、支柱２１ｄが形成されている。
これ等支柱２１ｄには、相互に対向する対向面２１ｅに、上下方向に所定間隔を置いて係合穴２７（係合部に対応する）が形成されている。
【００１９】
支持部材２９は、透明なアクリル樹脂等からなり、支持体部３１、弾性部３３および係止突起３５を一体形成することにより形成されている。
支持体部３１は、細長い板状に形成されており、長手方向の両側には、ねじ穴３１ａが形成されている。
弾性部３３は、円弧状に湾曲された板形状をしており、支持体部３１の両端に、それぞれ弾性部３３の幅方向の一端が接続されている。
【００２０】
弾性部３３は、支持体部３１の長手方向に撓むことができる。
係止突起３５は、係合穴２７に挿入可能な大きさ有しており、各弾性部３３の外側に形成されている。
カバー部材３７は、透明なアクリル樹脂板等からなる四角形形状に形成されている。
【００２１】
カバー部材３７の四隅には、肉厚方向に貫通する貫通穴３７ａが形成されている。
貫通穴３７ａには、支持体部３１のねじ穴３１ａに螺合可能なビス３９が配置されている。
カバー部材３７の高さＨ１は、装置２５の高さＨ２とほぼ同一の大きさに形成されている。
【００２２】
なお、この例では、１つのカバー部材３７に対して、２つの支持部材２９が用いられている。
また、図２に示すように、装置架本体２１の幅方向Ｄにそれぞれ位置するカバー部材３７の貫通穴３７ａの間隔Ｗ１は、支持部材２９の支持体部３１のねじ穴３１ａの間隔Ｗ２と同一の間隔にされている。
【００２３】
カバー部材３７の幅Ｗ３は、装置架本体２１の開口部２３の幅Ｗ４より小さくされている。
支持部材２９の長さＬ１は、開口部２３の幅Ｗ４より大きくされている。
また、支持部材２９の長さＬ１は、弾性部３３を両側から押圧して撓めた際に、開口部２３の幅Ｗ４より小さくなるようにされている。
【００２４】
上述した装置架では、展示会等への出品のように不特定多数の人が自由に装置２５のスイッチ２５ｂ等に触れる可能性のある場合には、装置２５を保護するために、支持部材２９およびカバー部材３７が、装置架本体２１の前面２１ａの開口部２３に取り付けられる。
すなわち、先ず、図３に示すように、支持部材２９が斜めに傾けられ、一方の係止突起３５が、装置架本体２１の係合穴２７に挿入される。
【００２５】
次に、他方の係止突起３５側の弾性部３３を持って、支持部材２９が一方の係止突起３５側に押圧される。
この押圧により、図４に示すように、各弾性部３３が変形し、支持部材２９の長さＬ１が、装置架本体２１の開口部２３の幅Ｗ４より小さくされる。
【００２６】
次に、この状態を保持して、他方の係止突起３５が係合穴２７の正面まで移動され、弾性部３３を離すことにより、他方の係止突起３５が係合穴２７に係止される。
そして、支持部材２９が装置架本体２１の前面２１ａに支持される。
支持部材２９は、装置架本体２１の所望の係合穴２７に支持させることができるが、この例では、図５に示すように、支持部材２９は、装置架本体２１に収容される装置２５の上部２５ｄおよび下部２５ｅに近接する位置に、それぞれ支持される。
【００２７】
次に、図６に示すように、カバー部材３７が、支持部材２９の支持体部３１の表面に当接される。
この後、カバー部材３７の貫通穴３７ａと、支持体部３１のねじ穴３１ａとを一致させた状態で、ビス３９がねじ穴３１ａに螺合される。
そして、カバー部材３７が装置架本体２１の前面２１ａに取り付けられ、装置架本体２１に収容される装置２５が保護される。
【００２８】
以上のように構成された装置架では、支持部材２９を、装置架本体２１の幅方向Ｄに延在する支持体部３１と、支持体部３１の両端に形成され円弧状に湾曲した可撓性を有する板状の弾性部３３と、弾性部３３の外側に形成される係止突起３５とにより形成したので、弾性部３３を撓めて支持部材２９の長さＬ１を短くした状態で、支持部材２９を装置架本体２１の開口部２３に配置した後、弾性部３３を復元力により元の形状に戻すことで、係止突起３５を開口部２３の両側の係合穴２７に押圧状態で係止することができ、支持部材２９を装置架本体２１の前面２１ａに確実に支持することができる。
【００２９】
このため、カバー部材３７を装置架本体２１の開口部２３を覆って配置し、支持部材２９のねじ穴３１ａとカバー部材３７の貫通穴３７ａとをビス３９を介して固定することで、カバー部材３７により、装置架本体２１に収容される装置２５の前面２５ａを容易に覆うことができ、装置２５のスイッチ２５ｂ等が触れられることを防止することができる。
【００３０】
また、係合穴２７を装置架本体２１の開口部２３の両側に、上下方向に間隔を置いて複数個設けたので、支持部材２９およびカバー部材３７を、開口部２３の所望の位置に支持することができる。
そして、支持体部３１、弾性部３３および係止突起３５を、樹脂により一体形成することで、支持部材２９を形成したので、支持部材２９を容易に形成することができる。
【００３１】
さらに、支持部材２９を樹脂により形成したので、所望の弾性を有する弾性部３３を所望の形状に、容易に形成することができる。
図７は、本発明の装置架の第１の実施形態を示している。
図において、装置架２１の開口部２３の両側には、第１の例（図１）と同一の係合穴２７が形成されている。
【００３２】
また、カバー部材３７は、第１の例と同一のものが用いられている。
カバー部材３７には、装置架本体２１の幅方向Ｄの両側に、ウレタン樹脂等からなる直方体形状のスペーサ４１が、装置架本体２１側に突出して接着されている。
なお、この実施形態では、カバー部材３７の幅Ｗ３と、装置２５の幅Ｗ５とは、ほぼ同一にされている。
【００３３】
スペーサ４１の突出長さＬ２は、装置架本体２１の前面２１ａと装置２５の前面２５ａとの距離Ｌ３とほぼ同一にされている。
支持部材４３は、鋼線等のワイヤを複数回ループ状に折り返すことにより形成されている。
支持部材４３には、装置架２１の幅方向Ｄに沿って、複数の円弧状の湾曲部４５ａが連設される支持体部４５が形成されている。
【００３４】
支持体部４５の両端には、係合穴２７に係止する鉤部４７が形成されている。
ここで、支持部材４３の長さＬ４は、開口部２３の幅Ｗ４より小さくなるように形成されている。
また、支持体部４５の湾曲部４５ａには、ねじ受け駒４９（接続部材に対応する）が嵌入されている。
【００３５】
ねじ受け駒４９は、図８に示すように、短尺な糸巻き形状をしており、外周に沿って形成されているくびれ４９ａの外径Ｄ１は、支持部材４３の支持体部４５の湾曲部４５ａの内径Ｄ２より大きく形成されている。
ねじ受け駒４９には、ビス３９を螺合するためのねじ穴４９ｂが、軸長方向に貫通して形成されている。
【００３６】
そして、ねじ受け駒４９は、くびれ４９ａを湾曲部４５ａに嵌入することにより、支持部材４３に固定されている。
上述した装置架では、以下示すように、支持部材４３およびカバー部材２１が、装置架本体２１の前面２１ａに取り付けられる。
すなわち、先ず、図９に示すように、支持部材４３を伸張しながら、支持部材４３の両側の鉤部４７が、それぞれ開口部２３の両側の係合穴２７に係止される。
【００３７】
次に、支持体部４５の両側の湾曲部４５ａに、ねじ受け駒４９のくびれ４９ａが嵌入され、湾曲部４５ａが外側に向けて変形する。
この際、ねじ受け駒４９は、湾曲部４５ａの復元力により、くびれ４９ａが押圧され、支持部材４３から外れるが防止される。
支持部材４３は、図１０に示すように、装置２５の上部２５ｄおよび下部２５ｅに近接する位置に、それぞれ支持される。
【００３８】
次に、図１１に示すように、カバー部材３７が、支持部材４３に嵌入されたねじ受け駒４９の表面に当接される。
そして、カバー部材３７の貫通穴３７ａと、ねじ受け駒４９のねじ穴４９ｂとを一致させた状態で、ビス３９がねじ穴４９ｂに螺合され、カバー部材３７が支持部材４３を介して装置架本体２１の前面２１ａに取り付けられる。
【００３９】
ここで、カバー部材３７の取り付け時には、スペーサ４１が装置２５の前面２５ａに当接され、支持部材４３およびねじ受け駒４９が、装置２５のスイッチ２５ｂ等に衝突することが防止される。
また、カバー部材３７の取り付け後に、カバー部材３７が装置２５側に押された場合にも、スペーサ４１により、支持部材４３およびねじ受け駒４９が、スイッチ２５ｂ等に衝突することが防止される。
【００４０】
そして、カバー部材３７が装置架本体２１の開口部２３に取り付けられ、装置架本体２１に収容される装置２５が保護される。
この実施形態においても、上述した第１の例と同様の効果を得ることができるが、この実施形態では、支持部材４３を、複数の湾曲部４５ａが連設される支持体部４５と、支持体部４５の両側に形成される鉤部４７と、湾曲部４５ａに嵌入されるねじ受け駒４９とにより形成したので、支持部材４３を伸張した状態で装置架本体２１の開口部２３に配置し、鉤部４７を開口部２３の両側の係合穴２７に掛けた後、支持体部４５の湾曲部４５ａを復元力により元の形状に戻すことで、鉤部４７を開口部２３の両側の係合穴２７に牽引状態で係止することができ、支持部材４３を装置架本体２１の前面２１ａに確実に支持することができる。
【００４１】
このため、支持体部４５の湾曲部４５ａにねじ受け駒４９を嵌入し、カバー部材３７の貫通穴３７ａと、ねじ受け駒４９のねじ穴４９ｂとを一致させた状態で、ビス３９をねじ穴４９ｂに螺合することで、カバー部材３７を支持部材４３に取り付けたので、カバー部材３７により、装置架本体２１の前面２１ａを容易に覆うことができる。
【００４２】
また、支持部材４３を鋼線ワイヤを折曲することで形成したので、所望の弾性力を有する支持部材４３を、所望の形状に容易に形成することができる。
そして、ねじ受け駒４９を短い糸巻き形状に形成し、外周のくびれ部４９ａの外径Ｄ１を支持体部４５の湾曲部４５ａの内径Ｄ２より大きく形成したので、くびれ部４９ａを支持部材４３の湾曲部４５ａに嵌入することで、ねじ受け駒４９を支持部材４３に確実に固定することができる。
【００４３】
なお、上述した第１の例では、支持部材２９の支持体部３１にねじ穴３１ａを形成し、カバー部材３７に貫通穴３７ａを形成し、カバー部材３７の支持部材２９への取り付けを、ビス３９により行った例について述べたが、本発明はかかる実施形態に限定されるものではなく、例えば、支持部材２９およびカバー部材３７に永久磁石を接着し、磁力により、カバー部材３７の支持部材２９への取り付けを行っても良い。
【００４４】
また、上述した第１の実施形態では、装置架本体２１に、筐体から構成される装置２５を収容する収容空間２１ｂを形成し、この装置架本体２１の前面にカバー部材３７を取り付けた例について述べたが、本発明はかかる実施形態に限定されるものではなく、例えば、プリント配線板から構成される装置を収容する収容空間を形成し、この装置架本体の前面にカバー部材を取り付けても良い。
【００４５】
【発明の効果】
請求項１の装置架では、支持部材を装置架本体の開口部の幅方向に弾性を有して形成したので、支持部材を装置架の幅方向に弾性変形した状態で、装置架本体の開口部に配置した後、支持部材を元の形状に戻すことで、支持部材を弾性力により、開口部の両側の係合部に押圧状態または牽引状態で支持することができる。
【００４６】
このため、カバー部材を開口部を覆って配置し、支持部材に接続することで、カバー部材により、装置架本体に収容される装置の前面を覆うことができ、装置のスイッチ等が触れられることを防止することができる。
また、係合部を開口部の両側に上下方向に間隔を置いて設けたので、支持部材およびカバー部材を、開口部の所望の位置に支持することができる。
【００４９】
さらに、支持部材に、複数の湾曲部が連設される支持体部と、支持体部の両側に形成される鉤部と、湾曲部に嵌入される接続部材とを備えたので、支持体部を伸張した状態で、支持部材を装置架本体の開口部に配置し、鉤部を開口部の両側の係合部に掛けた後、支持体部を復元力により元の形状に戻すことで、鉤部を開口部の両側の係合部に牽引状態で係止することができ、支持部材を装置架本体の前面に確実に支持することができる。
【００５０】
そして、支持体部の湾曲部に接続部材を嵌入し、カバー部材を接続部材に接続することで、カバー部材により、装置架本体の前面を容易に覆うことができる。
請求項２の装置架では、ワイヤ部材を折曲することで、所望の弾性を有する支持部材を、所望の形状に容易に形成することができる。
請求項３の装置架では、接続部材の外周にくびれ部を形成したので、このくびれ部を支持部材の湾曲部に嵌入することで、接続部材を支持部材に確実に固定することができる。
【図面の簡単な説明】
【図１】  本発明に関連する装置架の第１の例を示す斜視図である。
【図２】図１の断面図である。
【図３】支持部材を装置架本体に取り付ける状態を示す断面図である。
【図４】支持部材の弾性部を撓めた状態を示す断面図である。
【図５】図４の正面図である。
【図６】カバー部材を支持部材に取り付ける状態を示す断面図である。
【図７】  本発明の装置架の第１の実施形態を示す斜視図である。
【図８】ねじ受け駒の詳細を示す斜視図である。
【図９】支持部材を装置架本体に取り付ける状態を示す断面図である。
【図１０】図９の正面図である。
【図１１】カバー部材を支持部材に取り付ける状態を示す断面図である。
【図１２】従来の装置架を示す斜視図である。
【符号の説明】
２１  装置架本体
２１ａ  前面
２１ｂ  収容空間
２１ｃ  側板
２１ｄ  支柱
２１ｅ  対向面
２３  開口部
２５  装置
２５ａ  前面
２５ｂ  スイッチ
２５ｃ  コネクタ
２７  係合穴２７
２９  支持部材
３１  支持体部
３１ａ  ねじ穴
３３  弾性部
３５  係止爪
３７  カバー部材
３７ａ  貫通穴
３９  ビス
４１  スペーサ
４３  支持部材
４５  支持体部
４５ａ  湾曲部
４７  鉤部
４９  ねじ受け駒（接続部材）
４９ａ  くびれ
４９ｂ  ねじ穴
Ｄ  幅方向
Ｈ１  高さ
Ｈ２  高さ
Ｌ１  長さ
Ｌ２  突出長さ
Ｌ３  距離
Ｌ４  長さ
Ｗ１  間隔
Ｗ２  間隔
Ｗ３  幅
Ｗ４  幅
Ｗ５  幅
【図１】
0003663057.tif 000002
【図２】
0003663057.tif 000003
【図３】
0003663057.tif 000004
【図４】
0003663057.tif 000005
【図５】
0003663057.tif 000006
【図６】
0003663057.tif 000007
【図７】
0003663057.tif 000008
【図８】
0003663057.tif 000009
【図９】
0003663057.tif 000010
【図１０】
0003663057.tif 000011
【図１１】
0003663057.tif 000012
【図１２】
0003663057.tif 000013